(57)【要約】【課題】細かい操作をせずに画像の縦横やアスペクト比を設定することのできる撮像装置および撮像装置の制御方法を提供する。【解決手段】被写体像を画像データとして出力する撮像素子２２１と、撮像装置に加えられる加速度及び／又は角加速度を検出する傾きセンサ２２７を有し、撮像装置に対して上下に振る方向に動きがあると、撮影画像のアスペクト比を変更し（＃１７５）、撮影光軸周りの動きがあると、縦横位置を変更する（＃１７９）。【選択図】  図１２
2010068072.tif 000002
【特許請求の範囲】
【請求項１】
被写体像を画像データとして出力する撮像部と、
撮像装置に加えられる加速度及び／又は角加速度を検出する加速度検出部と、
上記検出した加速度及び／又は角加速度に応じて、上記撮像部の画像データ出力領域を制御する撮像領域制御部と、
を有することを特徴とする撮像装置。
【請求項２】
上記撮像領域制御部は、上記撮像部の画像データ出力領域の縦横／又はアスペクト比を制御することを特徴とする請求項１に記載の撮像装置。
【請求項３】
上記加速度検出部がピッチ加速度又はヨー加速度を検出した場合は、アスペクト比を制御し、
上記加速度検出部がロール加速度を検出した場合は、縦横を制御する、
ことを特徴とする請求項２に記載の撮像装置。
【請求項４】
上記撮像領域制御部は、
上記加速度検出部がピッチ加速度を検出した場合は、上記撮像部の画像データ出力領域の上下を広げる又は縮めるように制御し、
上記加速度検出部がヨー加速度を検出した場合は、上記撮像部の画像データ出力領域の左右を広げる又は縮めるように制御する、
ことを特徴とする請求項３に記載の撮像装置。
【請求項５】
上記撮像領域制御部は、上記加速度検出部が往復の加速度及び／又は角加速度を検出した場合に、上記撮像部の画像データ出力領域を制御することを特徴とする請求項１乃至４に記載の撮像装置。
【請求項６】
被写体像を画像データとして出力する撮像部と、
撮像装置を振る動きを検出する傾き検出部と、
上記検出した振る動きに応じて、上記撮像部の画像データの有効範囲を制御する撮像領域制御部と、
を有することを特徴とする撮像装置。
【請求項７】
被写体像を撮像部から画像データとして出力し、
撮像装置に加えられる加速度及び／又は角加速度を検出し、
上記検出した加速度及び／又は角加速度に応じて、上記撮像部の画像データ出力領域を制御する、
ことを特徴とする撮像装置の制御方法。
【発明の詳細な説明】
【技術分野】
【０００１】
本発明は、撮像装置および撮像装置の制御方法に関し、詳しくは、異なるアスペクト比に画像を変更可能な撮像装置および撮像装置の制御方法に関する。
【背景技術】
【０００２】
近年、デジタルカメラ等の撮像装置で撮影した画像は、従来のプリントのみならず、テレビ、横長テレビ、パソコン等、種々のアスペクト比（縦横比とも言う）を持つ再生機器で再生されおり、これらの縦横やアスペクト比に応じた撮影が望ましい。また、撮影するにあたっても、被写体の構図により、アスペクト比を変更したい場合もある。
【０００３】
そこで、縦横やアスペクト比を変更可能とした撮像装置が提案されている。例えば、特許文献１には、本体の向きを変えることなく撮像画面の縦横の比率を変化させることのできるようにした電子写真装置が開示されている。この電子写真装置においては、縦方向拡大ボタンまたは横方向拡大ボタンを操作することにより、正方形の撮像素子から縦方向と横方向の撮像有効範囲を変化させている。
【特許文献１】特開２００２−１７６５８１号公報
【０００４】
また、特許文献２には、カメラを持ち替えることなく、縦長・横長の両方の画像を記録できる電子カメラが開示されている。この電子カメラは、撮像素子を撮影光軸に中心に回転させる回転機構を有しており、縦長・横長の両方の画像を記録することができる。
【特許文献２】特開２００２−６４７３８号公報
【発明の開示】
【発明が解決しようとする課題】
【０００５】
前述の特許文献１に開示の電子写真装置は、正方形の撮像素子から画像データを切り出すことにより、縦横様々なアスペクト比の画像を得ることができるものの、アスペクト比設定操作が２つのボタンをそれぞれ操作しなければならないことから煩雑である。前述の特許文献２に開示の電子カメラは、撮像素子を回転させることにより、撮影画像の縦横を切り換えられるようにしているものの、細かい操作をする必要があり、例えば、手袋を装着していると非常に操作しにくいといった問題がある。
【課題を解決するための手段】
【０００６】
本発明は、このような事情を鑑みてなされたものであり、細かい操作をせずに画像の縦横やアスペクト比を設定することのできる撮像装置および撮像装置の制御方法を提供することを目的とする。
【０００７】
上記目的を達成するため第１の発明に係わる撮像装置は、被写体像を画像データとして出力する撮像部と、撮像装置に加えられる加速度及び／又は角加速度を検出する加速度検出部と、上記検出した加速度及び／又は角加速度に応じて、上記撮像部の画像データ出力領域を制御する撮像領域制御部と、を有する。
【０００８】
第２の発明に係わる撮像装置は、上記第１の発明において、上記撮像領域制御部は、上記撮像部の画像データ出力領域の縦横／又はアスペクト比を制御する。
第３の発明に係わる撮像装置は、上記第２の発明において、上記加速度検出部がピッチ加速度又はヨー加速度を検出した場合は、アスペクト比を制御し、上記加速度検出部がロール加速度を検出した場合は、縦横を制御する。
【０００９】
第４の発明に係わる撮像装置は、上記第３の発明において、上記撮像領域制御部は、上記加速度検出部がピッチ加速度を検出した場合は、上記撮像部の画像データ出力領域の上下を広げる又は縮めるように制御し、上記加速度検出部がヨー加速度を検出した場合は、上記撮像部の画像データ出力領域の左右を広げる又は縮めるように制御する。
【００１０】
第５の発明に係わる撮像装置は、上記第１乃至上記第４の発明において、上記撮像領域制御部は、上記加速度検出部が往復の加速度及び／又は角加速度を検出した場合に、上記撮像部の画像データ出力領域を制御する。
【００１１】
第６の発明に係わる撮像装置は、被写体像を画像データとして出力する撮像部と、撮像装置を振る動きを検出する傾き検出部と、上記検出した振る動きに応じて、上記撮像部の画像データの有効範囲を制御する撮像領域制御部と、を有する。
【００１２】
第７の発明に係わる撮像装置の制御方法は、被写体像を撮像部から画像データとして出力し、撮像装置に加えられる加速度及び／又は角加速度を検出し、上記検出した加速度及び／又は角加速度に応じて、上記撮像部の画像データ出力領域を制御する。
【発明の効果】
【００１３】
本発明によれば、細かい操作をせずに画像の縦横やアスペクト比を設定することのできる撮像装置および撮像装置の制御方法を提供することができる。
【発明を実施するための最良の形態】
【００１４】
以下、図面に従って本発明を適用したデジタルカメラを用いて好ましい一実施形態について説明する。図１は、本発明の一実施形態に係わるデジタルカメラの正面から見た外観図であり、図２は、このデジタルカメラの背面側から見た外観斜視図である。
【００１５】
図１に示すカメラ本体２００の前面の略中央には、交換レンズ１００を装着するためのボディマウント２４が設けてある。このボディマウント２４より少し奥まった位置には、交換レンズ１００と接続し、通信を行うための通信接点３４１が配置されている。また、ボディマウント２４よりカメラ本体２００の内部側はミラーボックスであり、ミラーボックス内には、可動ミラー２０１等が配置されている。
【００１６】
また、カメラ本体２００の正面左側のグリップ部の上部には、レリーズ釦２１が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピント合わせ、被写体輝度の測光等の撮影動作を行い、第２レリーズスイッチ（以下、２Rと称する）のオンにより撮像素子２２１（図３参照）の出力に基づいて被写体像の画像データの取り込みを行う露光動作を実行する。
【００１７】
また、カメラ本体２００の正面左側グリップ部には、前ダイアル２２が配置されている。この前ダイアル２２は、時計方向および反時計方向に回転自在であり、その回転方向と回転量が検知され出力される。
【００１８】
カメラ本体２００の上部には、被写体に補助光を照射するための内蔵ストロボ５０が収納されている。内蔵ストロボ５０をポップアップ状態とすると、使用状態となり、その発光部は被写体に向けた位置となる。
【００１９】
カメラ本体２００の上面には、コントロールパネル４０が配置されている。このコントロールパネル４０は、液晶等の表示装置であって、撮影にあたっての絞り値やシャッタ速度値等の撮影情報が表示される。
【００２０】
図２に示すように、カメラ本体２００の背面の右上には、後ダイアル２３が配置されている。後ダイアル２３も、前ダイアル２２と同様、時計方向および反時計方向に回転自在であり、その回転方向と回転量が検知され出力される。
【００２１】
後ダイアル２３の下側には、ライブビュー表示釦（以下、ＬＶ表示釦と称す）３１が配置されている。ライブビュー表示は、撮像素子によって取得した画像データに基づいて被写体像観察用に液晶モニタ等の表示装置に被写体像を表示することをいう。このＬＶ表示釦３１を操作することにより、ライブビュー表示モードを設定し、また再度操作するとライブビュー表示モードの解除を行う。
【００２２】
ＬＶ表示釦３１の下側には、十字釦３２が配置されている。この十字釦３２は上側十字釦、下側十字釦、右側十字釦、左側十字釦の４つの釦からなり、背面液晶３９上にカーソルが表示されている場合に、このカーソルの移動等に用いる。４つの十字釦３２のほぼ中心にＯＫ釦３３が配置されている。このＯＫ釦３３は、十字釦３２によって選択された項目の決定を行うための操作部材である。
【００２３】
十字釦３２の下側には、パワースイッチ３４が配置されている。このパワースイッチ３４は、このカメラのカメラ動作の実行を制御するための操作部材である。すなわち、本実施形態に係わるカメラは、パワースイッチ３４がオン状態の場合に、種々の動作を実行し、オフの場合にはカメラ動作を実行しない。
【００２４】
カメラ本体２００の背面の略中央の上部には、接眼部３８が設けられており、この中に接眼レンズ２０９が配置されている。カメラ本体２００は一眼レフレックスカメラであり、内部には、可動ミラー２０１やペンタプリズム２０７等のファインダ光学系（図３参照）が配置され、このファインダ光学系を通過した被写体光束が、この接眼レンズ２０９より出射する。撮影者は接眼レンズ２０９を介して、光学的に被写体像を観察することができる。
【００２５】
接眼部３８の下側には、背面液晶モニタ（以下、背面ＬＣＤと称す）３９が配置されている。背面ＬＣＤ３９は、ライブビュー表示を行い、また、記録済みの被写体像を再生表示し、撮影情報やメニューを表示するための表示装置である。これらの表示を行うことができるものであれば、液晶に限らない。また、本実施形態においては、カメラ本体２００の背面に配置しているが、撮影者が観察できる位置であれば、背面に限られない。
【００２６】
背面ＬＣＤ３９の下側であって、パワースイッチ３４の左側には、メニュー釦３５が配置されている。このメニュー釦３５はメニューモードに設定し、また解除するための操作部材である。メニューモードは、このカメラの種々のモードやその他の設定を行うモードであり、メニューモードに設定されると、背面ＬＣＤ３９にメニュー表示がなされる。撮影者は、このメニュー表示の中から好みのモード等を十字釦３２によって選択し、ＯＫ釦３３によって確定する。
【００２７】
メニュー釦３５の左側には、再生釦３６が配置されている。この再生釦３６は、記録媒体等に記録された画像データを読み出し、この画像データに基づいて被写体像を背面ＬＣＤ３９に再生表示する再生モードを指示する操作部材である。
【００２８】
再生釦３６の左側には、縦横釦３７が配置されている。この縦横釦３７は縦長画像と横長画像のいずれかを選択するための操作部材である。後述するように、本実施形態に係わるカメラの撮像素子２２１は、ほぼ正方形状をしており、この撮像素子によって出力される画像データ中から、縦長画像や横長画像の画像データを選択して表示し、記録媒体に記録する。
【００２９】
次に、本実施形態に係わるデジタル一眼レフカメラの電気回路について、図３に示すブロック図を用いて説明する。このデジタル一眼レフカメラは、交換レンズ１００とカメラ本体２００とから構成される。本実施形態では、交換レンズ１００とカメラ本体２００は別体で構成され、通信接点３４１にて電気的に接続されているが、交換レンズ１００とカメラ本体２００を一体に構成することも可能である。
【００３０】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。光学系駆動機構１０７によって駆動された撮影光学系１０１の焦点位置（ピント位置）は、ピント位置検出機構１０５によって、また光学系１０１の焦点距離は、ズーム位置検出機構１０６によって、それぞれ検出される。
【００３１】
光学系駆動機構１０７、絞り駆動機構１０９、ピント位置検出機構１０５、およびズーム位置検出機構１０６は、それぞれレンズＣＰＵ１１１に接続されており、このレンズＣＰＵ１１１は通信接点３４１を介してカメラ本体２００に接続されている。
【００３２】
また、レンズＣＰＵ１１１には、レンズＲＯＭ１１３とレンズＲＡＭ１１５が接続されている。レンズＲＯＭ１０３は、電気的に書き換え可能な不揮発性メモリであり、レンズＣＰＵ１１１を実行させるためのプログラムや、交換レンズ１００の固有情報等が記憶されている。レンズＲＡＭ１１５は、電気的に書き換え可能な揮発性メモリであり、上述のプログラムの実行に当たって使用される一時的な記憶領域である。
【００３３】
レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。また、レンズＣＰＵ１１１は、ピント位置検出機構１０５やズーム位置検出機構１０６によって検出された焦点距離や焦点位置情報をカメラ本体２００に送信する。
【００３４】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。
【００３５】
この可動ミラー２０１の上方には、被写体像を結像するためのフォーカシングスクリーン２０４が配置され、このフォーカシングスクリーン２０４の上方には、全面液晶板（以下、全面ＬＣＤと称す）２０５が配置されている。この全面ＬＣＤ２０５は、部分的に透過と遮光を制御可能であり、スクリーン２０４上に結像した被写体像の内の任意に部分について、被写体像をファインダ光学系に導くことができる。
【００３６】
全面ＬＣＤ２０５の上方には、被写体像を左右反転させるためのペンタプリズム２０７が配置されている。ペンタプリズム２０７の前面側の反射面に沿って、ファインダ内表示装置２０６が配置されている。このファインダ内表示装置２０６は、液晶表示装置等から構成され、後述するように、光学ファインダ像に対して、視野表示や撮影情報等を重畳させて表示する。このファインダ内表示装置２０６は、ファインダ内表示駆動回路２９５に接続されており、これによって駆動制御される。
【００３７】
ペンタプリズム２０７の出射側(図３で右側)には被写体像観察用の接眼レンズ２０９が配置され、この脇であって被写体像の観察に邪魔にならない位置に測光センサ２１１が配置されている。この測光センサ２１１は、測光処理回路２１２に接続され、測光センサ２１１の出力は、この測光処理回路２１２によって増幅処理やアナログ−デジタル変換等の処理がなされる。
【００３８】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図３において破線位置）、ハーフミラー部を覆う位置に回動し、可動ミラー２０１が被写体像観察位置（下降位置）にあるときには、図示する如く可動ミラー２０１に対して開いた位置にある。
【００３９】
この可動ミラー２０１はミラー駆動機構２３９によって駆動されている。また、サブミラー２０３の下方には位相差ＡＦセンサ２４１が配置されており、この位相差ＡＦセンサ２４１の出力は位相差ＡＦ処理回路２４３に接続されている。位相差ＡＦセンサ２４１は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。また、位相差ＡＦセンサ２４１は、撮影画面内の複数ポイントについて、それぞれ焦点検出可能である。
【００４０】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２２１としてはＣＣＤ（Charge Coupled Devices）またはＣＭＯＳ（Complementary Metal Oxide Semiconductor）等の二次元固体撮像素子を使用できることは言うまでもない。
【００４１】
撮像素子２２１は撮像素子駆動回路２２３に接続され、この撮像素子駆動回路２２３によって、撮像素子２２１から画像信号の読出し等が行われる。撮像素子駆動回路２２３は、前処理回路２２５に接続されており、前処理回路２２５は、ライブビュー表示のための画素間引き処理、拡大表示のための切り出し処理等の画像処理のための前処理を行なう。
【００４２】
前述のシャッタ２１３と撮像素子２２１の間には、防塵フィルタ２１５、赤外カットフィルタ・ローパスフィルタ２１７が配置されている。防塵フィルタ２１５の周囲には圧電素子が固定されており、この圧電素子は防塵フィルタ駆動回路２３５によって、超音波で振動する。防塵フィルタ２１５の付着した塵埃は、圧電素子に発生する振動波によって、除塵される。
【００４３】
赤外カットフィルタ・ローパスフィルタ２１７は、被写体光束から赤外光成分と、高周波成分を除去するための光学フィルタである。防塵フィルタ２１５、赤外カットフィルタ・ローパスフィルタ２１７および撮像素子２２１は、塵埃等が侵入しないように気密に一体に構成されている。これら一体化された撮像素子２２１等は、シフト機構２３３によって、撮像素子２２１の撮像面におけるＸ軸方向とＹ軸方向に沿って、それぞれ移動させることができる。
【００４４】
手ブレセンサ２２９は、カメラ本体２００に加えられた手ブレ等による振動を検出する角加速度センサ等であり、この出力は手ブレ補正回路２３０に接続している。手ブレ補正回路２３０は手ブレ等の振動を除去するための手ブレ補正信号を生成し、手ブレ補正回路２３０の出力は、シフト機構駆動回路２３１に接続されている。
【００４５】
シフト機構駆動回路２３１は、手ブレ補正信号を入力し、この信号に基づいて、シフト機構２３３を駆動する。このシフト機構２３３によって、カメラ本体２００に加えられた手ブレ等の振動を打ち消すように、撮像素子２２１等を移動させ、防振を行なう。
【００４６】
傾きセンサ２２７は、３軸回りの角加速度を検出し、カメラ本体２００の傾きに応じた値を出力する。傾き検知回路２２８は、傾きセンサ２２７に接続されており、傾きセンサ２２７の定常状態の値から傾き状態を、また傾きセンサ２２７の変化量から加速度を求め、これらの値を出力する。
【００４７】
光源センサ２４４は、蛍光灯や太陽光など、被写体の環境光の光源を検出するためのセンサである。光源処理回路２４５は、光源センサ２４４に接続され、光源に応じた光源データを出力する。照度センサ２４６は、カメラ２００上での照度を測定するためのセンサである。照度処理回路２４７は、照度センサ２４６に接続され、照度に応じた照度データを出力する。
【００４８】
リモコン受信センサ２４８は、リモコン装置（不図示）からの赤外線等によるリモコン指令を受信するための赤外線センサである。リモコン受信処理回路２４９は、リモコン受信センサ２４８に接続され、このセンサからの信号を入力し、リモコン信号を出力する。
【００４９】
前述の前処理回路２２５は、ＡＳＩＣ（Application Specific
Integrated Circuit 特定用途向け集積回路）２５０内のデータバス２５２に接続されており、このデータバス２５２を介して、ＡＳＩＣ２５０内の各回路に接続されている。また、前処理回路２２５は、コントラストＡＦ回路２５３およびＡＥ回路２５５にも接続されている。
【００５０】
コントラストＡＦ回路２５３は、前処理回路２２５から出力される画像信号に基づいて高周波成分を抽出し、この高周波成分に基づくコントラスト情報をボディＣＰＵ２５１に出力する。ＡＥ回路２５５は、前処理回路２２５から出力される画像信号に基づいて、被写体輝度に応じた測光情報をボディＣＰＵ２５１に出力する。
【００５１】
データバス２５２、コントラストＡＦ回路２５３、およびＡＥ回路２５５に接続されているボディＣＰＵ２５１は、フラッシュメモリ２７７に記憶されているプログラムに従って、デジタル一眼レフカメラの動作を制御するものである。
【００５２】
データバス２５２には、ボディＣＰＵ２５１以外に、画像処理回路２５７、圧縮伸張回路２５９、ビデオ信号出力回路２６１、スイッチ検知回路２６８、入出力回路２７１、通信回路２７３、フラッシュメモリ制御回路２７５、ＳＤＲＡＭ制御回路２７９、記録媒体制御回路２８３、ダイアル検知回路２８９が接続されている。
【００５３】
画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２８１に一時記憶された画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００５４】
ビデオ信号出力回路２６１は、ＬＣＤ駆動回路２６３を介して背面ＬＣＤ３９に接続され、また接点３３０ａを介して外部表示装置３３０に接続可能である。このビデオ信号出力回路２６１は、ＳＤＲＡＭ２８１、記録媒体Ａ２８５、記録媒体Ｂ２８７に記憶された画像データを、背面ＬＣＤ３９等に表示するためのビデオ信号に変換するための回路である。背面ＬＣＤ３９は、図２に示すように、カメラ本体２００の背面に配置されるが、撮影者が観察できる位置であれば、背面に限らないし、また液晶に限らず他の表示装置でも構わない。
【００５５】
シャッタレリーズ釦２１の第1ストローク（半押し）を検出する１Ｒスイッチや、第２ストローク（全押し）を検出する２Ｒスイッチ、ライブビュー表示釦３１の操作によってオンするライブビュー表示スイッチを含む各種スイッチ２６９は、スイッチ検知回路２６８を介してデータバス２５２に接続されている。また、各種スイッチ２６９としては、この他にも、メニュー釦３５に連動するメニュースイッチ、再生釦３６に連動する再生スイッチ、縦横釦３７に連動する縦横スイッチ、パワースイッチ３４等、その他の操作部材に連動する各種スイッチ等を含んでいる。
【００５６】
上述の防塵フィルタ駆動回路２３５、シャッタ駆動機構２３７、位相差ＡＦ処理回路２４３、ミラー駆動機構２３９、光源処理回路２４５、照度処理回路２４７、リモコン受信処理回路２４９、傾き検知回路２２８、シフト機構駆動回路２３１、測光処理回路２１２と接続される入出力回路２７１は、データバス２５２を介してボディＣＰＵ２５１等の各回路とデータの入出力を制御する。なお、入出力回路２７１は、後述するＬＣＤ向き検知回路２６５、充電回路３０１、フラッシュ発光回路３０３にも接続される。
【００５７】
レンズＣＰＵ１１１と通信接点３４１を介して接続された通信回路２７３は、データバス２５２に接続され、ボディＣＰＵ２５１等とのデータのやりとりや制御命令の通信を行う。
【００５８】
フラッシュメモリ制御回路２７５は、フラッシュメモリ（Flash Memory）２７７に接続され、このフラッシュメモリ２７７は、デジタル一眼レフカメラの動作を制御するためのプログラムが記憶されており、前述したように、ボディＣＰＵ２５１はこのフラッシュメモリ２７７に記憶されたプログラムに従ってデジタル一眼レフカメラの制御を行う。なお、フラッシュメモリ２７７は、電気的に書き換え可能な不揮発性メモリである。
【００５９】
ＳＤＲＡＭ２８１は、ＳＤＲＡＭ制御回路２７９を介してデータバス２５２に接続されており、このＳＤＲＡＭ２８１は、画像処理回路２５７によって画像処理された画像データまたは圧縮伸張回路２５９によって圧縮された画像データを一時的に記憶するためのバッファメモリである。
【００６０】
データバス２５２に接続された記録媒体制御回路２８３は、記録媒体Ａ２８５、記録媒体Ｂ２８７に接続され、これらの記録媒体Ａ２８５、Ｂ２８７への画像データ等の記録及び画像データ等の読み出しの制御を行う。
【００６１】
記録媒体Ａ２８５および記録媒体Ｂ２８７は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２８５、Ｂ２８７は、同じ種類の記録媒体であって、記憶容量が異なる組み合わせや、異なる種類の記録媒体の組み合わせ等、組み合わせ方は自由である。
【００６２】
ダイアル検知回路２８９は、前述の前ダイアル２２と後ダイアル２３にそれぞれ接続しており、それぞれのダイアルの回転方向および回転量を検知する。
【００６３】
カメラ本体２００内には、本体内の各回路や各機構等に電源を供給するための電源供給回路２９１が設けられている。この電源供給回路２９１には、内蔵のバッテリ２９２および外部電源２９３が接続可能である。
【００６４】
ＬＣＤ向き検知回路２６５は、背面ＬＣＤ３９の向きを検知する。すなわち、背面ＬＣＤ３９は、その向きを縦位置や横位置に変更することができ、この向きを検知し、入出力回路２７１を介してボディＣＰＵ２５１に伝達される。
【００６５】
前述のコントロールパネル４０には、コントロールパネル駆動回路２９７が接続されており、コントロールパネル駆動回路２９７はボディＣＰＵ２５１に接続されている。ボディＣＰＵ２５１は、コントロールパネル駆動回路２９７を介して、コントロールパネル４０に撮影情報等の表示を行う。
【００６６】
カメラ本体２００内に配置された内蔵ストロボ５０は、充電回路３０１、フラッシュ発光回路３０３、発光管３０５等から構成される。充電回路３０１はバッテリ２９２または外部電源２９３等より、電源供給を受け、電圧を昇圧し、これを充電する。フラッシュ発光回路３０３は、所定のタイミングで、充電回路３０１によって昇圧された電圧を発光管３０５に印加する等、発光制御を行う。
【００６７】
外部フラッシュ３１０は、外付けのフラッシュ装置であり、接点３１０ａ、３１０ｂを介して、カメラ本体２００と接続する。この外部フラッシュ３１０内には、フラッシュＣＰＵ３１１、充電回路３１３、フラッシュ発光回路３１５、発光管３１７、反射傘３１８、ズーム駆動回路３１９が配置されている。
【００６８】
フラッシュＣＰＵ３１１は、外部フラッシュ３１０の制御を行い、また、接点３１０ｂ、通信回路２７３を介してボディＣＰＵ２５１と通信を行う。充電回路３１３は、外部フラッシュ３１０内に装填された電源電池の電圧を昇圧し、これを充電する。フラッシュ発光回路３１５は、ボディＣＰＵ２５１と接点２１０ａを介して受信した発光命令に応じて発光する。ズーム駆動回路３１９は、撮影光学系１０１の焦点距離に応じて、発光管３１７と反射笠３１８の間隔を駆動制御し、撮影光学系１０１の焦点距離等に応じた照射角となるように制御する。
【００６９】
外部機器３２０は、パーソナルコンピュータ（ＰＣ）等の機器であり、接点３２０ａ、通信回路２７３を介して、ボディＣＰＵ２５１と通信を行う。外部表示機器３３０は、テレビ等の表示機器であり、接点３３０ａを通じて、前述のビデオ信号出力回路２６１に接続されている。外部表示機器３３０の内部には、表示装置駆動回路３３１と表示装置３３３が配置されている。ビデオ信号出力回路２６１からのビデオ信号に基づき、表示装置駆動回路３３１は表示装置３３３に記録画像等の表示を行う。
【００７０】
次に、本実施形態における縦横とアスペクト比について、図４を用いて説明する。撮像素子２２１の撮像面はほぼ正方形をしており、撮像素子２２１内であって、かつイメージサークル１２０内において、画像が得られる。このときの縦横の比率をアスペクト比という。本実施形態においては、４：３横長、４：３縦長、１６：９横長、１６：９縦長の４つのアスペクト比を採用している。もちろん、これとは異なるアスペクト比を採用しても構わない。
【００７１】
次に、本実施形態における動作について、図５ないし図１３に示すフローチャートを用いて説明する。
【００７２】
図５は、カメラ本体２００側のボディＣＰＵ２５１によるパワーオンリセットの動作である。カメラ本体２００にバッテリ２９２が装填され、または外部電源が接続されると、このフローがスタートする。まずカメラ本体２００のパワースイッチ３４がオンであるかを判定する（＃１）。判定の結果、パワースイッチ３４がオフの場合には、低消費電力の状態であるスリープ状態となる（＃３）。
【００７３】
このスリープ状態ではパワースイッチ３４がオンとなった場合のみに割り込み処理を行い、ステップ＃５以下においてパワーオンのための処理を行う。パワースイッチ３４がオンとなるまでは、パワースイッチ割り込み処理以外の動作を停止し、電源電池の消耗を防止する。
【００７４】
ステップ＃１において、パワースイッチ３４がオンであった場合、またはステップ＃３におけるスリープ状態を脱した場合には、電源供給を開始する（＃５）。次に、防塵フィルタ２１５における塵埃除去動作を行う（＃７）。このステップでは、防塵フィルタ２１５に固着された圧電素子に防塵フィルタ駆動回路２３５から駆動電圧を印加し、超音波振動波によって塵埃等を除去する。
【００７５】
次に、前ダイアル２２や後ダイアル２３等によって設定された撮影モードや、ＩＳＯ感度、マニュアル設定されたシャッタ速度や絞り値等の情報があればそれらの撮影モードや撮影条件の読み込みを行う（＃９）。なお、このときに、併せて、レンズＣＰＵ１１１から通信回路２７３を介して交換レンズ１００の開放絞り、焦点距離情報等のレンズ情報の読み込みも行う。
【００７６】
撮影モード等の読み込みを行うと、次に、ライブビューか否かの判定を行う（＃１１）。本実施形態に係わるデジタル一眼レフカメラのライブビュー表示は、ＬＶ表示釦３１が一度操作されると、ライブビュー表示モードに設定され、再度操作されると、ライブビュー表示モードが解除される。したがって、このステップでは、ライブビュー表示モードが解除されている状態で、ＬＶ表示釦３１が操作されたか否かを判定する。
【００７７】
ステップ＃１１における判定の結果、ライブビュー表示モードでなかった場合には、ファインダ測光（Ｆ測光）および露出量演算を行う（＃１３）。ライブビュー表示モードでない場合には、可動ミラー２０１は下降状態にあり、撮影光学系１０１を通過した被写体光束をペンタプリズム２０７等のファインダ光学系に反射している。このため、測光素子２１１に被写体光束が入射し、測光を行うことができる。
【００７８】
ファインダ測光によって測光を行うと、このとき得た被写体輝度に基づいて適正露光を得るための絞り値やシャッタ速度等の露出量の演算を行う。なお、露出量の演算にあたっては、ステップ＃９において設定されていた撮影モードや撮影条件に従って行う。
【００７９】
露出量の演算を行うと、次に、ファインダ表示を行う（＃１５）。ファインダ表示は、ファインダ内表示装置２０６によって行い、設定されている縦横とアスペクト比に応じた撮影範囲や、また演算または手動設定された絞り値やシャッタ速度等の撮影条件が表示される。また、演算された露出量に基づく絞り値やシャッタ速度値、またはこれらの手動設定値は、コントロールパネル４０にも表示される。なお、このファインダ表示のサブルーチンの詳細は、図８を用いて後述する。
【００８０】
続いて、ライブビュー表示の消灯を行う（＃１７）。ライブビュー表示モードから光学ファインダ表示に切り替わった際には、ここで、ライブビュー表示の消灯を行う。なお、ライブビュー表示モードが解除され光学ファインダ表示を繰り返し行っている場合には、ライブビュー表示は消灯されているので、このステップをスキップする。
【００８１】
ステップ１１における判定の結果、ライブビュー表示モードに設定されている場合には、可動ミラー２０１の退避を行い（＃３１）、シャッタ２１３を開放する（＃３３）。ライブビュー表示モードでは、撮像素子２２１からの画像データに基づいて、被写体像を背面ＬＣＤ３９に表示するので、撮像素子２２１上に被写体像が形成されるように、可動ミラー２０１を退避し、シャッタ２１３を開放する。なお、ライブビュー表示開始後は、このステップ＃３１、＃３３をスキップする。
【００８２】
続いて、イメージャー測光（Ｉ測光）および露出量の演算を行う（＃３５）。ライブビュー表示モードに入ると、可動ミラー２０１は撮影光学系１０１の光路から退避し、測光素子２１１には、被写体光束が入射しない。そこで、撮像素子２２１からの画像データに基づいて、ＡＥ回路２５５によって被写体輝度の測定を行う。
【００８３】
ここで測定された被写体輝度に基づいて、適正露光を得るための絞り値やシャッタ速度等の露出量の演算を行う。なお、露出量の演算にあたっては、ステップ＃１３と同様、ステップ＃９において設定されていた撮影モードや撮影条件に従って行う。また、ここで演算された露出量に基づく絞り値やシャッタ速度値、またはこれらの手動設定値は、背面ＬＣＤ３９やコントロールパネル４０に表示される。
【００８４】
続いて、ライブビュー表示を行う（＃３７）。ライブビュー表示は、撮像素子２２１からの画像データに基づき、前処理回路２２５や画像処理回路２５７によって、画素数を間引く等の画像処理を行い、被写体像を背面ＬＣＤ３９に動画表示する。撮像素子２２１から画像データの読み出しを行うたびに、被写体像の更新を行う。
【００８５】
ライブビュー表示を行うと、次に、ファインダ表示の消灯を行う（＃３９）。光学ファインダ表示からライブビュー表示モードに切り替わった際には、ここで、ファインダ表示の消灯を行う。なお、ライブビュー表示モードに切り替わり、ライブビュー表示を繰り返し行っている場合には、ファインダ表示は消灯されているので、このステップはスキップする。
【００８６】
ステップ＃１７におけるライブビュー表示を消灯すると、またはステップ＃３９におけるファインダ表示を消灯すると、操作部材による操作がなされたか否かの判定を行う（＃１９）。このステップでは、スイッチ検知回路２６８によって、１Ｒスイッチ、設定スイッチ（メニュースイッチ）、再生スイッチ、パワースイッチのいずれかのスイッチが操作されたか否かを判定する。
【００８７】
ステップ＃１９における判定の結果、操作がなかった場合には、ステップ＃１１に戻り、前述の動作を実行する。一方、判定の結果、操作がなされていた場合には、次に、レリーズ釦２１が半押しされたか否か、すなわち１Ｒスイッチがオンか否かの判定を行う（＃２１）。このステップでは、レリーズ釦２１が半押しされたか、すなわち、１Ｒスイッチがオンか否かの判定を行う。
【００８８】
ステップ＃２１における判定の結果、１Ｒスイッチがオンであった場合には、撮影準備と撮影を行う撮影動作のサブルーチンを実行する（＃４１）。このサブルーチンの詳細は図６を用いて後述する。
【００８９】
ステップ＃２１における判定の結果、１Ｒスイッチがオンでなかった場合、または、ステップ＃４１における撮影動作を実行した場合には、次に、設定スイッチがオンか否かの判定を行う。このステップでは、メニュー釦（設定釦）３５が操作され、メニューモード（設定モード）に設定されたか否かの判定を行う。
【００９０】
ステップ＃２３における判定の結果、メニューモード（設定モード）であった場合には、設定変更を行う（＃４３）。この設定変更のサブルーチンでは、設定されたメニューに従って種々の処理を行う。このサブルーチンの詳細については、図７、図１２、および図１３を用いて後述する。
【００９１】
ステップ＃２３における判定の結果、設定スイッチがオンでなかった場合、または、ステップ＃４３における設定変更のサブルーチンを実行すると、次に、再生スイッチがオンか否かの判定を行う（＃４５）。この判定の結果、再生スイッチがオンであった場合には、再生動作を実行する（＃４５）。再生動作では、記録媒体Ａ２８５または記録媒体Ｂ２８７に記録されている画像データを読み出し、背面ＬＣＤ３９等に再生表示する。この再生動作のサブルーチンの詳細については、図１０を用いて後述する。
【００９２】
ステップ＃２５における判定の結果、再生スイッチがオンでなかった場合、または、ステップ＃４５における再生動作のサブルーチンを実行すると、次に、パワースイッチ３４がオンか否かの判定を行う（＃２７）。この判定の結果、パワースイッチ３４がオンであった場合には、ステップ＃１１に戻り、前述の動作を実行する。
【００９３】
一方、ステップ＃２７における判定の結果、パワースイッチがオンではなかった場合には、電源供給を停止し（＃２９）、ステップ＃３に戻り、前述のスリープ状態となる。
【００９４】
次に、ステップ＃４１における撮影動作のサブルーチンについて、図６に示すフローチャートを用いて説明する。
【００９５】
撮影動作のサブルーチンに入ると、まず、ステップ＃１１と同様にライブビュー表示モードか否かの判定を行う（＃５１）。この判定の結果、ライブビュー表示モードでなかった場合には、位相差ＡＦのサブルーチンを実行する（＃５３）。この位相差ＡＦのサブルーチンでは、撮影光学系１０１の周辺を通過した２光束を用いて公知の位相差法に基づいて、撮影光学系１０１の焦点ズレ方向および焦点ズレ量を検出する。そして、この検出された焦点ズレ方向および焦点ズレ量を用いて、撮影光学系１０１を合焦位置に駆動する。
【００９６】
位相差ＡＦが終わると、次に、ステップ＃１３と同様にファインダ測光および露出量演算を行う（＃５５）。ここで演算された露出量に基づく絞り値やシャッタ速度値、またはこれらの手動設定値は、ファインダ内表示装置２０６やコントロールパネル４０に表示される。
【００９７】
ステップ＃５１における判定の結果、ライブビュー表示モードであった場合には、イメージャーＡＦのサブルーチンを実行する（＃５７）。ライブビュー表示モードでは、可動ミラー２０１が撮影光学系１０１の光路から退避位置にあり、位相差ＡＦによる測距を行うことができない。そこで、撮像素子２２１からの画像データに基づいて、イメージャーＡＦを行う。このイメージャーＡＦのサブルーチンでは、コントラストＡＦ回路２５３から出力される画像データの高周波成分がピーク値となるように、撮影光学系１０１の駆動制御を行う。
【００９８】
イメージャーＡＦを行うと、次に、ステップ＃３５と同様にイメージャー測光および露出量演算を行う（＃５９）。ここで演算された露出量に基づく絞り値やシャッタ速度値、またはこれらの手動設定値は、背面ＬＣＤ３９やコントロールパネル４０に表示される。
【００９９】
ステップ＃５５におけるファインダ測光および露出量演算、またはステップ＃５９におけるイメージャー測光を行うと、次に、レリーズ釦２１が全押しされたか否か、すなわち２Ｒスイッチがオンか否かを判定する（＃６１）。この判定の結果、２Ｒスイッチがオンでなかった場合には、１Ｒスイッチがオンか否かの判定を行う（＃６３）。
【０１００】
このステップ＃６３における判定の結果、１Ｒスイッチがオンでなければ、レリーズ釦２１から撮影者の指が離れたことから、撮影動作のサブルーチンを終了し、元のフローに戻る。一方、ステップ＃６３における判定の結果、１Ｒスイッチがオンであった場合には、少なくとも撮影者の指がレリーズ釦２１にかかっていることから、ステップ＃６１に戻り、このステップとステップ＃６３を交互に判定する待機状態となる。
【０１０１】
ステップ＃６１における判定の結果、２Ｒスイッチがオンとなると、レリーズ釦２１が全押しされ、露光動作に移る。まず、ステップ＃１１、＃５１と同様に、ライブビュー表示モードか否かの判定を行う（＃６５）。この判定の結果、ライブビュー表示モードでなかった場合には、可動ミラー２０１の退避を行う（＃６７）。ライブビュー表示モードでない場合、すなわち光学ファインダ表示モードの場合には、可動ミラー２０１が下降位置にあるので、撮像素子２２１に被写体光束に導くために、可動ミラー２０１を退避させる。
【０１０２】
一方、ステップ＃６５における判定の結果、ライブビュー表示モードであった場合には、シャッタ２１３の閉じ動作を行う（＃９１）。ライブビュー表示モードの場合には、可動ミラー２０１は退避位置にあり、シャッタ２１３は開放のままである。露光動作を実行するにあたって、シャッタ２１３をチャージする必要があることから、一旦、シャッタ２１３の閉じ動作を行う。
【０１０３】
ステップ＃６７の可動ミラー退避、またはステップ＃９１のシャッタ閉を行うと、次に、絞り１０３の絞り込み動作を行う（＃６９）。このステップでは、露出量演算に基づいて求められた絞り値または手動設定された絞り値となるように、レンズＣＰＵ１１１に対して、絞り込み指示を行う。
【０１０４】
続いて、露出動作を行う（＃７１）。このステップでは、シャッタ２１３の先幕を走行させると共に、撮像素子２２１において電荷蓄積を開始する。そして、所定時間が経過すると、シャッタ２１３の後幕を走行させると共に、撮像素子２２１における電荷蓄積を終了する。
【０１０５】
露出動作が終了すると、次に、絞り１０３の開放を行う（＃７３）。すなわち、ボディＣＰＵ２５１は、レンズＣＰＵ１１１に対して、絞り１０３が開放絞り値となるように指示を送信する。
【０１０６】
絞りを開放にすると、次に、ステップ＃１１、＃５１、＃６５と同様に、ライブビュー表示モードか否かの判定を行う（＃７５）。この判定の結果、ライブビュー表示モードでなかった場合には、可動ミラー２０１の復帰を行う（＃７７）。すなわち、ステップ＃６７において可動ミラー２０１は撮影光学系１０１の光路から退避していたので、光路中に挿入するように下降させる。
【０１０７】
一方、ステップ＃７５における判定の結果、ライブビュー表示モードであった場合には、シャッタ２１３の開放を行う（＃９３）。すなわち、ライブビュー表示を再開するために、撮影光学系１０１からの被写体光束を撮像素子２２１に導くべく、シャッタ２１３の先幕を走行させ、シャッタを開放する。
【０１０８】
ステップ＃７７における可動ミラー復帰、またはステップ＃９３におけるシャッタ開を行うと、次に、画像の読み出しを行う（＃７９）。このステップでは、撮像素子駆動回路２２３によって、撮像素子２２１から画像信号の読み出しを行う。
【０１０９】
続いて、画像処理を行う（＃８１）。すなわち、撮像素子２２１から読み出された画像信号を前処理回路２２５、画像処理回路２５７や圧縮伸張回路２５９等によって種々の画像処理を行う。
【０１１０】
画像処理を行うと、次に、画像記録を行う（＃８３）。画像記録は、画像処理された画像データを、記録媒体制御回路２８３によって、記録媒体Ａ２８５または記録媒体Ｂ２８７に記録する。この画像記録が終わると、元のフローに戻る。
【０１１１】
次に、ステップ＃４３における設定変更のサブルーチンについて、図７（ａ）に示すフローチャートを用いて説明する。メニューモードにおいて、種々の設定変更を行うことができるが、図７（ａ）に示すフローチャートは、その一部のみを示している。
【０１１２】
すなわち、図７（ａ）に示すフローは、上位の設定変更のフローによって、十字釦３２や縦横釦３７等の操作部材の操作によってアスペクト比を変更するモードが選択された場合のみを示す。なお、カメラ本体２００を振る動作によって自動的に縦横やアスペクト比を変更するモードについては、図１２を用いて、後述する。
【０１１３】
図７（ａ）に示す設定変更のフローに入ると、まず、アスペクト変更操作がなされたか否かの判定を行う（＃１０１）。このアスペクト変更操作は、背面ＬＣＤ３９のメニュー画面上において、十字釦３２を操作することによりアスペクト変更を選択し、さらに、ＯＫ釦３３によってこの選択したアスペクトを決定することにより行う。
【０１１４】
ステップ＃１０１における判定の結果、アスペクト設定変更であった場合には、アスペクト設定変更が行われる（＃１０３）。すなわち、十字釦３２のうちの右側十字釦が操作されるたびに、図７（ｂ）に示すように、アスペクト比が、４：３、３：２、１６：９と順次、変更される。なお、左側十字釦が操作されると、これとは逆の順番で変更される。
【０１１５】
ステップ＃１０３におけるアスペクト設定変更が終了すると、またはステップ＃１０１における判定の結果、アスペクト変更操作がなされていなかった場合には、次に、縦横位置変更操作がなされたか否かの判定を行う（＃１０５）。このステップでは、縦横釦３７が操作されたか否かを判定する。
【０１１６】
ステップ＃１０５における判定の結果、縦横位置変更操作がなされた場合には、縦横設定変更を行う（＃１０７）。ここでは、図７（ｂ）に示すように、４：３の横長に設定されていた場合には、３：４の縦長に設定変更を行う。また、３：２の横長に設定されていた場合には、２：３の縦長に、１６：９の横長に設定されていた場合には、９：１６の縦長に設定変更を行う。
【０１１７】
ステップ＃１０７における設定変更を行うと、またはステップ＃１０５における判定の結果、縦横位置変更操作がなされていなかった場合には、元のフローに戻る。
【０１１８】
このように、本実施形態においては、アスペクト比や縦横位置を変更することができる。縦横位置やアスペクトを変更すると、この設定に応じて、前処理回路２２５や画像処理回路２５７は、撮像素子２２１から読み出された画像データの有効範囲を変更する。このため、再生装置の画面の縦横位置やアスペクト比に応じた画面で撮影することができる。また、被写体にあったフレームで撮影することが可能となる。
【０１１９】
なお、本実施形態においては、アスペクト変更操作は設定画面（メニュー画面）で行い、また縦横位置の変更は縦横釦３７の操作によって行っていた。しかし、これに限らず、両変更共、操作釦を設け、これによって行ってもよく、逆に、操作釦を設けずに両操作共、設定画面（メニュー画面）で設定するようにしても勿論かまわない。
【０１２０】
次に、ステップ＃１５におけるファインダ表示のサブルーチンについて、図８を用いて説明する。このファインダ表示では、光学ファインダで被写体像を光学的に表示し、この場合に撮影情報や撮影範囲の表示を行う。
【０１２１】
図８（ａ）に示すファインダ表示のフローに入ると、まず、情報表示液晶の駆動を開始する（＃１２１）。このステップでは、ファインダ内表示装置２０６の情報表示液晶２０６ａ、２０６ｂの駆動を開始する（＃１２１）。この情報表示液晶２０６ａ、２０６ｂは、プログラム撮影モード（Ｐ）等の撮影モード、シャッタ速度（図中では「２５０」）、絞り値（図中では「Ｆ５．６」）、露出補正（図中では「＋０．７」）、フラッシュ状態等を表示する。なお、このステップで情報表示液晶２０６ａ、２０６ｂが駆動開始されるが、バックライトが未点灯のため、撮影者は、この段階では、視認することができない。
【０１２２】
続いて、横位置が選択されているか否かの判定を行う（＃１２３）。縦位置か横位置かは、縦横釦３７によって設定できるので、このステップでは縦横の設定状態に基づいて判定する。なお、縦横釦３７で操作されるたびに、縦位置と横位置が交互に変化するので、このフローでは最新の設定状態を確認する。
【０１２３】
ステップ＃１２３における判定の結果、横位置が選択されていた場合には、横位置液晶バックライトを点灯する（＃１２５）。この横位置液晶バックライトを点灯すると、図８（ｂ）に示すように、情報表示液晶２０６ａが照明され、横一列に並んだ撮影情報を視認することができる。
【０１２４】
一方、ステップ＃１２３における判定の結果、横位置が選択されていなかった場合には、縦位置液晶バックライトを点灯する（＃１２７）。この縦位置液晶バックライトを点灯すると、図８（ｃ）に示すように情報表示液晶２０６ｂが照明され、縦一列に並んだ撮影情報を視認することができる。
【０１２５】
ステップ＃１２５における横位置液晶バックライトの点灯を行うと、またはステップ＃１２７における縦位置液晶バックライトの点灯を行うと、次に、選択アスペクト罫線の点灯を行う（＃１２９）。このステップでは、設定されているアスペクト比および縦横位置に応じて、図８（ｂ）（ｃ）に示すように、全面ＬＣＤ２０５によって、撮影範囲を示す罫線２０６ｃ、２０６ｄを表示する。すなわち、横位置が設定されている場合には図８（ｂ）に示すように罫線２０６ｃのいずれか上下の２本の罫線を表示し、縦位置が設定されている場合には、図８（ｃ）に示すように罫線２０６ｄのいずれか左右の２本の罫線を表示する。
【０１２６】
選択アスペクト罫線の点灯を行うと、元のフローに戻る。このように、本実施形態においては、縦位置か横位置に応じて、撮影情報の表示位置を変えている。また、光学ファインダ中に、撮影範囲を罫線２０６ｃ、２０６ｄによって表示するようにしている。このため、縦位置や横位置、またアスペクト比を変更しても、光学ファインダ中でその撮影範囲や、必要な撮影情報を確認することができ、大変便利である。
【０１２７】
なお、本実施形態においては、撮影範囲を罫線で示すようにしているが、全面ＬＣＤ２０５によって、撮影範囲のみを透過させ、撮影範囲以外は遮光するようにしても勿論かまわない。本実施形態のように罫線のみとし、それ以外を透過させた場合には、撮影範囲以外の周囲も含めて観察することができ、撮影範囲のみを透過させた場合には、出来上がりの画像のみを容易に把握することができる。
【０１２８】
次に、ステップ＃３７におけるライブビュー表示のサブルーチンについて、図９を用いて説明する。このサブルーチンは、前述したように、撮像素子２２１からの画像データに基づいて、背面ＬＣＤ３９に被写体象を表示する。
【０１２９】
図９（ａ）に示すライブビュー表示のフローに入ると、まず、選択アスペクト表示座標の設定を行う（＃１３１）。このステップでは、設定されている縦横位置とアスペクト比情報に基づいて、被写体像として表示すべき範囲を示す座標を設定する。
【０１３０】
続いて、画像領域外を黒塗りする（＃１３３）。このステップでは、ステップ＃１３１において設定した表示座標を基に、図９（ｂ）〜（ｅ）に示すように、画像領域外を黒塗り、すなわち、画像の表示領域外とする。なお、図９（ｂ）は４：３の横長画像であり、（ｃ）は１６：９の横長画像であり、（ｄ）は２：３の縦長画像であり、（ｅ）は９：１６の縦長画像を示す領域である。
【０１３１】
画像領域外を黒塗りにすると、次に、情報表示座標の設定を行う（＃１３５）。このステップでは、画像が横長位置の場合には、図９（ｂ）（ｃ）に示すように、画像領域の下側に横一列に撮影情報を表示するための座標の設定を行う。また、縦長位置の場合には、図９（ｄ）（ｅ）に示すように、画像領域の右側に縦一列に撮影情報を表示するための座標の設定を行う。
【０１３２】
情報表示領域座標を設定すると、次に、情報表示を開始する（＃１３６）。このステップでは、撮影情報を画像領域の下側または右側に表示する。続いて、ライブビュー画像表示を開始する（＃１３７）。このステップでは、背面ＬＣＤ３９の画像領域に、撮像素子２２１からの画像データに基づいて、観察用に被写体像を動画表示する。続いて、液晶バックライトの点灯を行う（＃１３９）。これによって、背面ＬＣＤ３９におけるライブビュー表示と撮影情報を視認することができる。撮影者は、被写体像を観察しながら構図を決定し、撮影を行うことができる。
【０１３３】
このように、本実施形態においては、背面ＬＣＤ３９にライブビュー表示を行うにあたって、設定された縦横位置やアスペクト比を考慮して、被写体像を表示するようにしている。また、画像の縦横位置に合わせて撮影情報の表示位置を変更している。このため、縦位置や横位置、またアスペクト比を変更しても、ライブビュー表示によって、その撮影範囲や、必要な撮影情報を確認することができ、大変便利である。
【０１３４】
なお、本実施形態においては、画像領域外は黒塗りにして、画像を全く表示しないようにしていたが、これに限らず、例えば、罫線で表示してもよく、また、画像領域外を半透明で表示する等の変形を行っても勿論かまわない。
【０１３５】
次に、ステップ＃４５における再生動作のサブルーチンについて、図１０に示すフローチャートを用いて説明する。このサブルーチンは、前述したように、記録媒体Ａ２８５や記録媒体Ｂ２８７に記録されている画像データを読み出し、背面ＬＣＤ３９等に再生表示を行う。再生釦３６を操作すると、再生動作のサブルーチンが動作を開始する。
【０１３６】
再生動作のサブルーチンに入ると、まず、再生画像の指定を行う（＃１４１）。このステップでは、背面ＬＣＤ３９に記録媒体Ａ２８５等に記録されている画像がサムネイル表示されるので、この中からユーザーが再生表示を望む画像をカーソルによって指定する。
【０１３７】
再生画像の指定が行われると、次に、外部出力接続がなされているか否かを判定する（＃１４３）。ここでは、テレビ等の外部表示装置３３０が接続されているか否かを判定する。この判定の結果、外部表示装置３３０が接続されていた場合には、外部再生を行う（＃１４５）。このステップでは、ビデオ信号出力回路２６１からの画像信号を外部表示装置３３０に送信し、外部表示装置３３０に記録媒体Ａ２８５等から読み出された画像を再生表示する。
【０１３８】
一方、ステップ＃１４３における判定の結果、外部表示装置３３０が接続されていなかった場合には、液晶モニタ再生を行う（＃１４７）。このステップでは、記録媒体Ａ２８５等から読み出された画像を背面ＬＣＤ３９で再生表示する。この液晶モニタ再生のサブルーチンは、図１１を用いて後述する。
【０１３９】
ステップ＃１４５における外部再生、またはステップ＃１４７における液晶モニタ再生を行うと、再生終了か否かの判定を行う（＃１４９）。本実施形態におけるカメラ本体２００は、再生釦３６を操作することにより、再生表示モードとなり、再度、再生釦３６を操作することにより、再生表示モードが終了する。したがって、このステップでは、再度、再生釦３６が操作されたか否かを判定する。
【０１４０】
ステップ＃１４９における判定の結果、再生終了でなかった場合には、ステップ＃１４３に戻り、前述の動作を実行する。一方、判定の結果、再生終了であった場合には、再生動作を終了し、元のフローに戻る。
【０１４１】
次に、ステップ＃１４７における液晶モニタ再生のサブルーチンについて、図１１に示すフローチャートを用いて説明する。このサブルーチンは、記録媒体Ａ２５８等に記録された画像データを読み出し、背面ＬＣＤ３９に再生表示する。
【０１４２】
液晶モニタ再生のサブルーチンに入ると、まず、指定画像の読み込みを行う（＃１５１）。すなわち、ステップ＃１４１において指定された画像について、記録媒体Ａ２８５から画像データの読み出しを行う。続いて、余白部分の黒塗りを行う（＃１５３）。前述したように、本実施形態における画像は、縦横位置やアスペクト比が異なっていることから、それぞれ読み出した画像データの縦横位置やアスペクト比に従って、図９（ｂ）〜（ｅ）と同様に、余白部分を黒塗りとする。
【０１４３】
余白部分の黒塗りを行うと、次に、モニタ再生表示を開始する（＃１５５）。すなわち、ステップ＃１５１で読みだした画像データに基づいて、背面ＬＣＤ３９に画像を再生表示する。
【０１４４】
モニタ再生表示を開始すると、次に、画像選択操作がなされたか否かの判定を行う（＃１５７）。本実施形態に係わるカメラは、左右の十字釦３２を操作することにより、前または次の画像に変更することができ、また、サムネイル画像を再度表示し、この中から画像選択することもできる。したがって、このステップでは、これらの操作がなされたか否かを判定する。
【０１４５】
ステップ＃１５７における判定の結果、画像選択操作がなされた場合には、指定画像の変更を行う（＃１６１）。すなわち、画像選択操作によって選択された画像に変更する。このあと、ステップ＃１５１に戻り、変更された画像の読み出しを行い、再生表示を行う。
【０１４６】
一方、ステップ＃１５７における判定の結果、画像選択がなされていない場合には、再生終了か否かの判定を行う（＃１５９）。前述したように、再生釦３６が再度操作されると、再生終了であるので、このステップでは、再生釦３６が再度操作されてか否かを判定する。
【０１４７】
ステップ＃１５９における判定の結果、再生終了でなければ、ステップ＃１５７に戻り、前述の動作を実行する。一方、再生終了であった場合には、液晶モニタ再生のサブルーチンを終了し、元のフローに戻る。
【０１４８】
このように、本実施形態においては、記録媒体Ａ２８５等から画像データを読み出し、再生表示を行う場合には、外部表示装置３３０やカメラ本体２００に配置された背面ＬＣＤに再生表示を選択的に行うことができる。また、背面ＬＣＤ３９に再生表示するにあたって、縦横位置やアスペクト比に応じ、余白部分を黒塗りして表示を行うようにしている。したがって、種々のサイズで撮影した場合、そのサイズに相応しい表示を行うことができる。
【０１４９】
次に、ステップ＃４３において実行される設定変更のサブルーチンにおいて、実行される縦横位置やアスペクト比変更について、図１２を用いて説明する。ここでは、カメラ本体２００を振る動作によって自動的に縦横やアスペクト比の変更を行う。
【０１５０】
設定変更（メニューモード）において、縦横・アスペクト比の自動変更を行うことのできる加速度検出モードが選択されたか否かの判定を行う（＃１７１）。この判定の結果、加速度検出モードが設定されていなかった場合には、そのまま、元のフローに戻る。
【０１５１】
一方、ステップ＃１７１における判定の結果、加速度検出モードが設定されていた場合には、ピッチ加速度が所定値Ａ１より大きいか否かの判定を行う（＃１７３）。ピッチ加速度は、図１２（ｂ）に示すように、カメラ本体２００を上下方向に振る動作の加速度である。この加速度は傾きセンサ２２７によって検出する。
【０１５２】
ステップ＃１７３における判定の結果、ピッチ加速度が所定値Ａ１より小さかった場合には、ヨー加速度が所定値Ａ２より大きいか否かの判定を行う（＃１７５）。ヨー加速度は図１２（ｃ）に示すように、
カメラ本体２００を左右に振った場合に発生する加速度である。この加速度も傾きセンサ２２７によって検出する。
【０１５３】
ステップ＃１７３における判定の結果、ピッチ加速度が所定値Ａ１より大きかった場合、または、ステップ＃１７５における判定の結果、ヨー加速度が所定値Ａ２より大きかった場合には、アスペクト比の設定変更を行う（＃１７７）。このアスペクト比の設定変更は、図７（ｂ）において示したように、４：３、３：２、１６：９と、カメラ本体２００が振られるたびにアスペクト比が変更される。
【０１５４】
変更にあたっては、ピッチ加速度を検出した場合には、画像データの有効領域を上下方向に広げ、ヨー加速を検出した場合には、画像データの有効領域を左右方向に広げるようにしても良い。このような有効領域の変更は、カメラ本体２００を振る方向と、画像データの有効領域の変更方向が一致しているために、感覚的に分かりやすいという効果がある。
【０１５５】
ステップ＃１７７においてアスペクト設定変更を行うと、またはステップ＃１７５における判定の結果、ヨー加速度が所定値Ａ２より小さかった場合には、次に、ロール加速度が所定値Ａ３より大きいか否かの判定を行う（＃１７９）。ロール加速度は、図１２（ｄ）に示すように、カメラ本体２００を撮影光軸周りに回すときの加速度である。
【０１５６】
ステップ＃１７９における判定の結果、ロール加速度が所定値Ａ２より大きかった場合には、縦横位置の設定変更を行う（＃１８１）。このステップでは、図７（ｂ）に示すように、４：３横長の場合には３：４縦長、３：２横長の場合には２：３縦長、１６：９の横長の場合には９：１６の縦長に、それぞれ変更する。
【０１５７】
ステップ＃１８１における縦横設定変更が終わると、またはステップ＃１７９における判定の結果、ロール加速度が所定値Ａ２より小さかった場合には、元のフローに戻る。
【０１５８】
このように本実施形態においては、加速度検出モードに設定すると、カメラ本体２００を振ることにより、自動的にアスペクト比や縦横位置設定を変更することができる。縦横位置やアスペクトが設定されると、前処理回路２２５や画像処理回路２５７によって画像データのうちの有効範囲が変更される。図７に示したような縦横釦３７等の操作部材により設定し、また設定画面（メニュー画面）上で操作部材を操作することにより、縦横位置やアスペクト比を設定する場合に比較し、図１２に示すフローでは、簡単な操作でかつ迅速に設定することができる。
【０１５９】
また、本実施形態においては、ピッチ加速度やヨー加速度によりアスペクト比を変更し、ロール加速度により縦横位置の変更を行っている。撮影者の感覚に沿った方向に回転させることにより、アスペクト比や縦横位置の変更ができる。
【０１６０】
なお、ステップ＃１７３と＃１７５におけるピッチ加速度とヨー加速度の判定にあたって、所定値Ａ１、Ａ２は異なる値でもあっても、同一の値であっても良い。また、本実施形態においては、ピッチ加速度とヨー加速度の両方の加速度を検出し、それぞれ拡大方向を変更するようにしているが、いずれか一方の加速度のみを検出するようにしても良い。この場合には、アスペクト比を一方向に順番に変更すればよい。
【０１６１】
次に、図１２に示した設定変更のサブルーチンの変形例を、図１３を用いて説明する。この変形例では、ピッチ加速度やロール加速度の検出にあたって、それぞれの方向に一往復の動きを検出した場合に、アスペクト比や縦横位置の変更を行うようにしている。図１２に示したフロート同じ処理を行うステップには、同一のステップ番号を付し、相違点を中心に説明する。
【０１６２】
図１３（ａ）に示すフローに入ると、まず、加速度検出モードであるかの判定を行う（＃１７１）。この判定の結果、加速度検出モードであった場合には、ピッチ加速度が所定値Ａ１より大きいか否かの判定を行う（＃１７３）。この判定の結果、所定値Ａ１より大きかった場合には、続いて、ピッチ加速度が所定値（−Ａ１）より小さいかを判定する（＃１７４）。
【０１６３】
ステップ＃１７３における判定の結果、ピッチ加速度が所定値Ａ１より小さかった場合には、ヨー加速度が所定値Ａ２より大きいか否かの判定を行う（＃１７５）。この判定の結果、所定値Ａ２より大きかった場合には、続いて、ヨー加速度が所定値（−Ａ２）より小さいかを判定する（＃１７６）。
【０１６４】
ステップ＃１７４における判定の結果、ピッチ加速度が所定値（−Ａ１）より小さかった場合には、またはステップ＃１７６における判定の結果、ヨー加速度が所定値（−Ａ２）より小さかった場合には、アスペクト比の設定変更を行う（＃１７７）。すなわち、本変形例においては、図１３（ｂ）に示すように、ピッチングが上下方向に一往復あった場合、または図１３（ｃ）に示すようなヨーイングが左右方向に一往復あった場合にのみアスペクト比の設定変更を行っている。
【０１６５】
ステップ＃１７５においてアスペクト比の設定変更を行うと、またはステップ＃１７４においてピッチ加速度が所定値（−Ａ１）よりも小さくなかった場合、またはステップ＃１７５においてヨー加速度が所定値Ａ２よりも大きくなかった場合、またはステップ＃１７６においてヨー加速度が所定値（−Ａ２）よりも小さくなかった場合には、次に、ロール加速度が所定値Ａ３より大きいか否かの判定を行う（＃１７９）。このロール加速度は、図１３（ｄ）に示すように、カメラの撮影光学系１０１の光軸周りの加速度である。
【０１６６】
ステップ＃１７９における判定の結果、ロール加速度が所定値Ａ３より大きかった場合には、次に、ロール加速度が所定値（−Ａ３）よりも小さいか否かの判定を行う（＃１８０）。この判定の結果、所定値（−Ａ３）よりも小さかった場合には、縦横位置の設定変更を行う（＃１８１）。すなわち、ローリングも両方向に検出された場合にのみ、縦横位置の変更を行う。
【０１６７】
ステップ＃１８１における縦横位置設定変更を行うと、またはステップ＃１７９においてロール加速度が所定知Ａ３よりも大きくなかった場合、または＃１８０において、ロール加速度が所定値（−Ａ３）よりも小さくなかった場合には、元のフローに戻る。
【０１６８】
このように、本実施形態の変形例においては、一往復以上の動きがあった場合にのみ、撮影画像のアスペクト比や縦横位置の変更を行っている。撮影時には、撮影構図を変更するためにカメラを振る場合があり、このために意図せずに、アスペクト比や縦横位置が変更されてしまう可能性がある。そこで、本変形例においては、一往復以上の動作であることを検出している。
【０１６９】
以上説明したように、本発明の実施形態においては、カメラを振る動きを検出し、この動きに応じて、画像データの記録領域や表示領域を制御するようにしている。すなわち、撮影者がカメラを振る動きに応じて、縦横位置やアスペクトといった画像データの記録領域や表示領域を変更するようにしている。このため、細かい操作をせずに画像の縦横やアスペクト比を設定することができる。
【０１７０】
また、従来の撮像装置においては、アスペクト比によって画角が異なり、対角線長が異なるといった問題があった。すなわち、画角が変化してしまうという問題があった。しかし、本発明の実施形態によれば、撮像素子２２１のイメージサークル１２０の対角線はいつも一定であり、画角が変化することがない。
【０１７１】
なお、本発明の実施形態においては、光学ファインダとライブビュー表示の両方の表示部を有していたが、いずれか一方でもよく、例えば、光学ファインダのみでもよく、逆にライブビュー表示のみでも良い。
【０１７２】
また、本発明の実施形態においては、加速度を検出していたが、カメラ本体２００の動きを検出できる測定値であればよく、速度や角加速度等の値であってもよい。
【０１７３】
さらに、本発明の実施形態においては、縦横位置とアスペクト比の設定にあたって、軸周りのピッチ、ヨー、ロール等の動きを検出していたが、これに限らず、カメラを振る動きを検出するようにしても良い。
【０１７４】
さらに、本発明の実施形態においては、縦横位置やアスペクト比によって有効となる画像データは、前処理回路２２５や画像処理回路２５７によって、撮像素子駆動回路２２３から出力される画像データの中から選択していた。しかし、これに限らず、例えば、撮像素子２２１から読み出す際に、縦横位置やアスペクト比によって決まる範囲についてのみ、画像データを読み出すようにしても良い。
【０１７５】
さらに、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。いずれにしても、縦横位置やアスペクトを変更することが可能な撮影のための機器であれば、本発明を適用することができる。
【０１７６】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【０１７７】
【図１】本発明の一実施形態に係わるデジタルカメラの正面側からみた外観斜視図である。
【図２】本発明の一実施形態に係るデジタルカメラの背面側から見た外観斜視図である。
【図３】本発明の一実施形態に係わるデジタルカメラにおいて電気回路を示すブロック図である。
【図４】本発明の一実施形態に係わるデジタルカメラにおいて撮像素子のイメージサークルと縦横位置およびアスペクトを示す図である。
【図５】本発明の一実施形態におけるデジタルカメラにおいて、パワーオンリセットの動作を示すフローチャートである。
【図６】本発明の一実施形態におけるデジタルカメラにおいて、撮影動作を示すフローチャートである。
【図７】本発明の一実施形態におけるデジタルカメラにおいて、設定変更の動作を説明する図であり、（ａ）は設定変更のフローチャートであり、（ｂ）は縦横位置およびアスペクトの関係を示す図である。
【図８】本発明の一実施形態におけるデジタルカメラにおいて、ファインダ表示の動作を説明する図であり、（ａ）はファインダ表示のフローチャートであり、（ｂ）は横位置でのファインダ表示を示し、（ｃ）は縦位置でのファインダ表示を示す。
【図９】本発明の一実施形態におけるデジタルカメラにおいて、ライブビュー表示の動作を説明する図であり、（ａ）はライブビュー表示のフローチャートであり、（ｂ）は横位置４：３でのライブビュー表示を示し、（ｃ）は横位置１：９でのライブビュー表示を示し、（ｄ）は縦位置２：３でのライブビュー表示を示し、（ｅ）は縦位置９：１６でのライブビュー表示を示す。
【図１０】本発明の一実施形態におけるデジタルカメラにおいて、再生動作を示すフローチャートである。
【図１１】本発明の一実施形態におけるデジタルカメラにおいて、液晶モニタ動作を示すフローチャートである。
【図１２】本発明の一実施形態におけるデジタルカメラにおいて、設定変更の動作を示すフローチャートである。
【図１３】本発明の一実施形態におけるデジタルカメラにおいて、設定変更の動作の変形例を示すフローチャートである。
【符号の説明】
【０１７８】
２１・・・レリーズ釦、２２・・・前ダイアル、２３・・・後ダイアル、２４・・・ボディマウント、３１・・・ＬＶ表示釦、３２・・・十字釦、３３・・・ＯＫ釦、３４・・・パワースイッチ、３５・・・メニュー釦、３６・・・再生釦、３７・・・縦横釦、３８・・・接眼部、３９・・・背面ＬＣＤ、４０・・・コントロールパネル、１００・・・交換レンズ、１０１・・・撮影光学系、１０３・・・絞り、１０５・・・ピント位置検出機構、１０６・・・ズーム位置検出機構、１０７・・・光学系駆動機構、１０９・・・絞り駆動機構、１１１・・・レンズＣＰＵ、１１３・・・レンズＲＯＭ、１１５・・・レンズＲＡＭ、１２０・・・イメージサークル、２００・・・カメラ本体、２０１・・・可動ミラー、２０３・・・サブミラー、２０４・・・スクリーン、２０５・・・全面ＬＣＤ、２０６・・・  ファインダ内表示装置、２０６ａ・・・情報表示液晶、２０６ｂ・・・情報表示液晶、２０７・・・ペンタプリズム、２０９・・・接眼レンズ、２１１・・・測光素子、２１２・・・測光処理回路、２１３・・・シャッタ、２１５・・・防塵フィルタ、２１７・・・ローパスフィルタ、２２１・・・撮像素子、２２３・・・撮像素子駆動回路、２２５・・・前処理回路、２２７・・・傾きセンサ、２２８・・・傾き検知回路、２２９・・・手ブレセンサ、２３０・・・手ブレ補正回路、２３１・・・シフト機構駆動回路、２３３・・・シフト機構、２３５・・・防塵フィルタ駆動回路、２３７・・・シャッタ駆動機構、２３９・・・ミラー駆動機構、２４１・・・位相差ＡＦセンサ、２４３・・・位相差ＡＦ処理回路、２４４・・・光源センサ、２４５・・・光源処理回路、２４６・・・照度センサ、２４７・・・照度処理回路、２４８・・・リモコン受信センサ、２４９・・・リモコン受信処理回路、２５０・・・ＡＳＩＣ、２５１・・・ボディＣＰＵ、２５２・・・バス、２５３・・・コントラストＡＦ回路、２５５・・・ＡＥ回路、２５７・・・画像処理回路、２５９・・・圧縮伸張回路、２６１・・・ビデオ信号出力回路、２６３・・・ＬＣＤ駆動回路、２６５・・・ＬＣＤ向き検知回路、２６８・・・スイッチ検知回路、２６９・・・各種スイッチ、２７１・・・入出力回路、２７３・・・通信回路、２７５・・・フラッシュメモリ制御回路、２７７・・・フラッシュメモリ、２７９・・・ＳＤＲＡＭ制御回路、２８１・・・ＳＤＲＡＭ、２８３・・・記録媒体制御回路、２８５・・・記録媒体Ａ、２８７・・・記録媒体Ｂ、２８９・・・ダイアル検知回路、２９１・・・電源供給回路、２９２・・・バッテリ、２９３・・・外部電源、２９５・・・ファインダ内表示駆動回路、２９７・・・コントロールパネル駆動回路、３０１・・・充電回路、・接点、３０３・・・フラッシュ発光回路、３０５・・・発光管、３１０・・・外部フラッシュ、３１０ａ・・・接点、３１０ｂ・・・接点、３１１・・・フラッシュＣＰＵ、３１３・・・充電回路、３１５・・・フラッシュ発光回路、３１７・・・発光管、３１８・・・反射笠、３１９・・・ズーム駆動回路、３２０・・・外部機器（ＰＣ）、３２０ａ・・・接点、３２１・・・機器ＣＰＵ、３３０・・・外部表示装置（ＴＶ）、３３０ａ・・・接点、３３１・・���表示装置駆動回路、３３３・・・表示装置、３４１・・・通信接点
【図１】
2010068072.tif 000003
【図２】
2010068072.tif 000004
【図３】
2010068072.tif 000005
【図４】
2010068072.tif 000006
【図５】
2010068072.tif 000007
【図６】
2010068072.tif 000008
【図７】
2010068072.tif 000009
【図８】
2010068072.tif 000010
【図９】
2010068072.tif 000011
【図１０】
2010068072.tif 000012
【図１１】
2010068072.tif 000013
【図１２】
2010068072.tif 000014
【図１３】
2010068072.tif 000015